【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
原稿の画像データを読み取る画像読取手段と、
画像データに基づいて印刷を行なう印刷手段と、
プリセットされた第１の定形サイズから第２の定形サイズへの変倍複写メニューを複数表示する画面を用いて変倍複写指示を受け付ける変倍複写指示受付手段と、
前記変倍複写指示受付手段が、前記変倍複写メニューのいずれかを指定されて変倍複写指示を受け付けると、前記画像読取手段が読み取った画像データを指定された変倍複写メニューにしたがって変倍し、変倍した画像データのサイズが第２の定形サイズと一致しないときに、第２の定形サイズと一致するように前記変倍した画像データに余白を付加して前記印刷手段に印刷させる変倍処理手段と、
を備えることを特徴とする画像形成装置。
【請求項２】
請求項１に記載の画像形成装置であって、
前記画面は、変倍数値を直接指定可能な入力領域を備え、
前記変倍処理手段は、前記変倍複写指示受付手段が、変倍数値を指定されて変倍複写指示を受け付けた場合には、前記画像読取手段が読み取った画像データを前記変倍数値にしたがって変倍し、変倍した画像データを、余白を付加せずに前記印刷手段に印刷させることを特徴とする画像形成装置。
【請求項３】
請求項１または２に記載の画像形成装置であって、
前記画像読取手段は、読取対象の原稿のサイズを検出する原稿サイズ検出手段を備え、
前記変倍処理手段は、前記変倍複写指示受付手段が、前記変倍複写メニューのいずれかを指定されて変倍複写指示を受け付けた場合であっても、検出された原稿サイズが前記指定された変倍複写メニューの第１の定形サイズと一致しないときは、変倍した画像データを、余白を付加せずに前記印刷手段に印刷させることを特徴とする画像形成装置。
【請求項４】
請求項１乃至３のいずれか１項に記載の画像形成装置であって、
前記印刷手段が行なう印刷には、所定の電子文書フォーマットへの変換が含まれることを特徴とする画像形成装置。
【請求項５】
画像形成装置に印刷データを出力する印刷制御装置であって、
原稿サイズの設定、出力用紙サイズの設定、変倍印刷の有無および有の場合の変倍率の設定を受け付ける印刷設定受付手段と、
前記印刷設定受付手段が、変倍印刷有の設定を受け付けた場合に、前記設定された原稿サイズで作成されたドキュメントの画像データを設定された変倍率にしたがって変倍した印刷データを生成し、
前記印刷設定受付手段が、変倍印刷無の設定を受け付けた場合であって、前記設定された原稿サイズと出力用紙サイズとが異なる場合は、設定された原稿サイズと出力用紙サイズの比にしたがって前記設定された原稿サイズで作成されたドキュメントの画像データを変倍し、変倍後の画像データのサイズが前記設定された出力用紙サイズと異なる場合に、画像データのサイズが前記設定された出力用紙サイズと一致するように余白を付加した印刷データを生成する印刷データ生成手段とを備えることを特徴とする印刷制御装置。
【請求項６】
画像形成装置に印刷データを出力する印刷制御装置として情報処理装置を機能させるプリンタドライバプログラムであって、
原稿サイズの設定、出力用紙サイズの設定、変倍印刷の有無および有の場合の変倍率の設定を受け付ける印刷設定受付手段と、
前記印刷設定受付手段が、変倍印刷有の設定を受け付けた場合に、前記設定された原稿サイズで作成されたドキュメントの画像データを設定された変倍率にしたがって変倍した印刷データを生成し、
前記印刷設定受付手段が、変倍印刷無の設定を受け付けた場合であって、前記設定された原稿サイズと出力用紙サイズとが異なる場合は、設定された原稿サイズと出力用紙サイズの比にしたがって前記設定された原稿サイズで作成されたドキュメントの画像データを変倍し、変倍後の画像データのサイズが前記設定された出力用紙サイズと異なる場合に、画像データのサイズが前記設定された出力用紙サイズと一致するように余白を付加した印刷データを生成する印刷データ生成手段としてさらに前記情報処理装置を機能させることを特徴とするプリンタドライバプログラム。
【手続補正２】
【補正対象書類名】明細書
【補正対象項目名】０００７
【補正方法】変更
【補正の内容】
【０００７】
上記課題を解決するため、本発明の画像形成装置は、原稿の画像データを読み取る画像読取手段と、画像データに基づいて印刷を行なう印刷手段と、プリセットされた第１の定形サイズから第２の定形サイズへの変倍複写メニューを複数表示する画面を用いて変倍複写指示を受け付ける変倍複写指示受付手段と、前記変倍複写指示受付手段が、前記変倍複写メニューのいずれかを指定されて変倍複写指示を受け付けると、前記画像読取手段が読み取った画像データを指定された変倍複写メニューにしたがって変倍し、変倍した画像データのサイズが第２の定形サイズと一致しないときに、第２の定形サイズと一致するように前記変倍した画像データに余白を付加して前記印刷手段に印刷させる変倍処理手段と、を備えることを特徴とする。
本発明では、プリセットされた定形用紙から定形用紙への変倍複写メニューを指示されると、変倍後の画像データが定形用紙のサイズに一致するように余白を付加する。この場合、ユーザが定形用紙に印刷しようとしていることが想定されるからである。したがって、本発明によれば、画像データを変倍して縦横比の異なる用紙に印刷する場合において、余白を付加することによる画像データのサイズ調整を適切に行なうことができる。
【手続補正３】
【補正対象書類名】明細書
【補正対象項目名】０００８
【補正方法】変更
【補正の内容】
【０００８】
このとき、前記画面は、変倍数値を直接指定可能な入力領域を備え、前記変倍処理手段は、前記変倍複写指示受付手段が、変倍数値を指定されて変倍複写指示を受け付けた場合には、前記画像読取手段が読み取った画像データを前記変倍数値にしたがって変倍し、変倍した画像データを、余白を付加せずに前記印刷手段に印刷させることができる。
変倍率を数値で指定された場合は、必ずしも定形用紙に印刷しようとしているとは限られないからである。したがって、画像データを変倍して縦横比の異なる用紙に印刷する場合において、余白を付加することによる画像データのサイズ調整を適切に行なうことができる。
【手続補正４】
【補正対象書類名】明細書
【補正対象項目名】０００９
【補正方法】変更
【補正の内容】
【０００９】
また、前記画像読取手段は、読取対象の原稿のサイズを検出する原稿サイズ検出手段を備え、前記変倍処理手段は、前記変倍複写指示受付手段が、前記変倍複写メニューのいずれかを指定されて変倍複写指示を受け付けた場合であっても、検出された原稿サイズが前記指定された変倍複写メニューの第１の定形サイズと一致しないときは、変倍した画像データを、余白を付加せずに前記印刷手段に印刷させることができる。
【手続補正５】
【補正対象書類名】明細書
【補正対象項目名】００１０
【補正方法】変更
【補正の内容】
【００１０】
原稿サイズが定形用紙のサイズと一致しない場合は、必ずしも定形用紙に印刷しようとしているとは限られないからである。したがって画像データを変倍して縦横比の異なる用紙に印刷する場合において、余白を付加することによる画像データのサイズ調整を適切に行なうことができる。また、前記印刷手段が行なう印刷には、所定の電子文書フォーマットへの変換が含まれるようにしてもよい。
【手続補正６】
【補正対象書類名】明細書
【補正対象項目名】００１２
【補正方法】変更
【補正の内容】
【００１２】
本発明では、変倍印刷有の設定を受け付けた場合に、前記設定された原稿サイズで作成されたドキュメントの画像データを設定された変倍率にしたがって変倍した印刷データを生成し、余白を付加しないようにしている。必ずしも定形用紙に印刷しようとしているとは限られないからである。また、変倍印刷無の設定を受け付けた場合であって、前記設定された原稿サイズと出力用紙サイズとが異なる場合は、設定された原稿サイズと出力用紙サイズの比にしたがって前記設定された原稿サイズで作成されたドキュメントの画像データを変倍し、変倍後の画像データのサイズが前記設定された出力用紙サイズと異なる場合に、画像データのサイズが前記設定された出力用紙サイズと一致するように余白を付加した印刷データを生成するようにしている。ユーザが定形用紙に印刷しようとしていることが想定されるからである。したがって、本発明によれば、画像データを変倍して縦横比の異なる用紙に印刷する場合において、余白を付加することによる画像データのサイズ調整を適切に行なうことができる。